【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
ビル、工場、地下街等の複数の建造物にそれぞれ設置される防災用受信機と、支援センターの中央支援装置とを、有線または無線の通信回線で接続し、
上記防災用受信機には、該防災用受信機に接続された被接続機器の作動または防災用受信機が操作されたときに、上記中央支援装置を呼び出し、通信可能状態にする第１の呼出手段と；
防災用受信機の状態の情報を上記中央支援装置に送信する第１の送信手段と；
を有し、
上記中央支援装置には、
上記複数の建造物の建造物情報と複数の建造物にそれぞれ設置されている防災用受信機の受信機情報（表示部情報、操作部情報を含む）とを記憶している第１の記憶手段と；
いずれかの防災用受信機から呼出手段によって呼び出されたときに、上記第１の記憶手段から、当該建造物の建造物情報と当該防災用受信機の受信機情報とを表示部に表示するとともに、当該受信機情報に追加して上記防災用受信機から受信した状態の情報を、上記表示部に表示させる第１の表示手段と；
を有することを特徴とする防災設備の支援システム。
【請求項２】
請求項１において、
上記中央支援装置は、
呼び出しを行った上記防災受信機に対する制御命令を作成する第１の制御命令作成手段と；
上記第１の制御命令作成手段によって作成された制御命令を、当該防災受信機に送信する第２の送信手段と；
を有し、
上記防災用受信機は、
上記中央支援装置から送信される制御命令を受信し、当該受信機を制御する第１の制御手段を有することを特徴とする防災設備の支援システム。
【請求項３】
ビル、工場、地下街等の複数の建造物にそれぞれ設置される防災用受信機と、支援センタの中央支援装置とを、有線または無線の通信回線で接続し、
上記防災用受信機は、
シミュレーションを行うために上記中央支援装置を呼び出し、通信可能状態にする第２の呼出手段と；
上記中央支援装置から、受信するシミュレーション情報に基づいて、シミュレーションを行う実行手段と；
上記実行手段による実行中の当該防災受信機の操作情報と状態情報とを、上記中央支援装置に送信する第３の送信手段と；
を有し、
上記中央支援装置は、
上記複数の建造物の建造物情報と複数の建造物にそれぞれ設置された防災用受信機の受信機情報とシミュレーション情報とを記憶している第２の記憶手段と；
いずれかの防災用受信機から、第２の呼出手段によって呼び出されたときに、上記第２の記憶手段から当該防災用受信機に対するシミュレーション情報を読み出し、送信する第４の送信手段と；
上記第２の記憶手段から当該建造物の建造物情報および当該防災用受信機の受信機情報を表示部に表示するとともに、当該受信機情報に追加して上記第３の送信手段から送信された操作情報および状態情報を上記表示部に表示させる第２の表示手段と；
を有することを特徴とする防災設備の支援システム。
【請求項４】
ビル、工場、地下街等の複数の建造物にそれぞれ設置される防災用受信機と、支援センタの中央支援装置とを、有線または無線の通信回線で接続し、
上記防災用受信機は、
該防災用受信機に接続された被接続機器の作動または防災用受信機が操作されたときに、上記中央支援装置を呼び出し、通信可能状態にする第１の呼出手段と；
防災用受信機の状態の情報を、上記中央支援装置に送信する第１の送信手段と；
シミュレーションを行うために、上記中央支援装置を呼び出し、通信可能状態にする第２の呼出手段と；
上記中央支援装置から受信するシミュレーション情報に基づいて、シミュレーションを行う実行手段と；
上記実行手段による実行中の当該防災受信機の操作情報と状態情報とを、上記中央支援装置に送信する第３の送信手段と；
を有し、
上記中央支援装置は、
上記複数の建造物の建造物情報と、複数の建造物にそれぞれ設置された防災用受信機の受信機情報（表示部情報、操作部情報を含む）とを記憶している第１の記憶手段と；
上記複数の建造物の建造物情報と、複数の建造物にそれぞれ設置された防災用受信機の受信機情報と、シミュレーション情報とを記憶している第２の記憶手段と；
いずれかの防災用受信機から、第１の呼出手段によって呼び出されたときに、上記第１の記憶手段から当該建造物の建造物情報と、当該防災用受信機の受信機情報とを表示部に表示するとともに、当該受信機情報に追加して、上記防災用受信機から受信した状態の情報を上記表示部に表示させる第１の表示手段と；
いずれかの防災用受信機から、第２の呼出手段によって呼び出されたときに、上記第２の記憶手段から当該防災用受信機に対するシミュレーション情報を読み出して送信する第４の送信手段と；
いずれかの防災用受信機から、第１の呼出手段によって呼び出されたときに、上記第１の記憶手段から当該建造物の建造物情報と当該防災用受信機の受信機情報とを表示部に表示するとともに、当該受信機情報に追加して、上記防災用受信機から受信した状態の情報を、上記表示部に表示させ、第２の呼出手段によって呼び出されたときに、上記第２の記憶手段から当該建造物の建造物情報と当該防災用受信機の受信機情報とを表示部に表示するとともに、当該受信機情報に追加して、上記第３の送信手段から送信された操作情報と状態情報とを、上記表示部に表示させる第３の表示手段と；
を有することを特徴とする防災設備の支援システム。
【請求項５】
ビル、工場、地下街等の複数の建造物にそれぞれ設置される防災用受信機と、支援センタの中央支援装置とを、有線または無線の通信回線で接続し、
上記防災用受信機は、
シミュレーションを行うために上記中央支援装置を呼び出し、通信可能状態にする第２の呼出手段と；
当該防災用受信機のシミュレーション情報を記憶している第３の記憶手段と；
上記第３の記憶手段に記憶されているシミュレーション情報に基づいて、シミュレーションを行う第２の実行手段と；
上記第２の実行手段による実行中の当該防災受信機の操作情報と状態情報とを上記中央支援装置に送信する第５の送信手段と；
を有し、
上記中央支援装置は、
上記複数の建造物の建造物情報と、複数の建造物にそれぞれ設置された防災用受信機の受信機情報とを記憶している第４の記憶手段と；
いずれかの防災用受信機から、上記第２の呼出手段によって、呼び出されたときに、上記第４の記憶手段から、当該建造物の建造物情報と当該防災用受信機の受信機情報とを表示部に表示するとともに、当該受信機情報に追加して、上記第５の送信手段から送信された操作情報と状態情報とを上記表示部に表示させる第３の表示手段と；
を有することを特徴とする防災設備の支援システム。
【請求項６】
請求項１、請求項２、請求項４のいずれか１項において、
上記複数の建造物のそれぞれには、上記第１の呼出手段によって、上記中央支援装置を呼び出したときに、上記支援センタと通話可能となる第１の通話手段が設けられ、上記支援センタには、上記第１の呼出手段による呼び出しを受けたときに、上記第１の通話手段と通話可能となる第２の通話手段が設けられていることを特徴とする防災設備の支援システム。
【請求項７】
請求項３、請求項４、請求項５のいずれか１項において、
上記複数の建造物のそれぞれには、上記第２の呼出手段によって、上記中央支援装置を呼び出したときに、上記支援センタと通話可能となる第３の通話手段が設けられ、上記支援センタには、上記第１の呼出手段による呼び出しを受けたときに、上記第１の通話手段と通話可能となる第４の通話手段が設けられていることを特徴とする防災設備の支援システム。
【手続補正２】
【補正対象書類名】明細書
【補正対象項目名】０００８
【補正方法】変更
【補正の内容】
【０００８】
【課題を解決するための手段】
本発明の第１の発明は、ビル、工場、地下街等の複数の建造物にそれぞれ設置される防災用受信機と支援センタの中央支援装置とを有線または無線の通信回線で接続し、上記防災用受信機には該防災用受信機に接続された被接続機器の作動または防災用受信機が操作されたときに上記中央支援装置を呼び出して通信可能状態にする第１の呼出手段と、防災用受信機の状態の情報を上記中央支援装置に送信する第１の送信手段とが設けられ、上記中央支援装置には、上記複数の建造物の建造物情報および複数の建造物にそれぞれ設置された防災用受信機の受信機情報（表示部情報、操作部情報等）を記憶している第１の記憶手段と、いずれかの防災用受信機から呼出手段により呼び出されたときに、上記第１の記憶手段から当該建造物の建造物情報および当該防災用受信機の受信機情報を表示部に表示するとともに、当該受信機情報に追加して上記防災用受信機から受信した状態の情報を上記表示部に表示させる第１の表示手段とが設けられてなることを特徴とするものである。


【手続補正３】
【補正対象書類名】明細書
【補正対象項目名】００１１
【補正方法】変更
【補正の内容】
【００１１】
第４の発明は、ビル、工場、地下街等の複数の建造物にそれぞれ設置される防災用受信機と支援センタの中央支援装置とを有線または無線の通信回線で接続し、上記防災用受信機には該防災用受信機に接続された被接続機器の作動または防災用受信機が操作されたときに上記中央支援装置を呼び出して通信可能状態にする第１の呼出手段と、防災用受信機の状態の情報を上記中央支援装置に送信する第１の送信手段と、シミュレーションを行うために上記中央支援装置を呼び出して通信可能状態にする第２の呼出手段と、上記中央支援装置から受信するシミュレーション情報に基づきシミュレーションを行う実行手段と、上記実行手段による実行中の当該防災受信機の操作情報および状態情報を上記中央支援装置に送信する第３の送信手段とが設けられ、上記中央支援装置には、上記複数の建造物の建造物情報および複数の建造物にそれぞれ設置された防災用受信機の受信機情報（表示部情報、操作部情報を含む）を記憶している第１の記憶手段と、上記複数の建造物の建造物情報および複数の建造物にそれぞれ設置された防災用受信機の受信機情報およびシミュレーション情報を記憶している第２の記憶手段と、いずれかの防災用受信機から第１の呼出手段により呼び出されたときに、上記第１の記憶手段から当該建造物の建造物情報および当該防災用受信機の受信機情報を表示部に表示するとともに、当該受信機情報に追加して上記防災用受信機から受信した状態の情報を上記表示部に表示させる第１の表示手段と、いずれかの防災用受信機から第２の呼出手段により呼び出されたときに、上記第２の記憶手段から当該防災用受信機に対するシミュレーション情報を読み出して送信する第４の送信手段と、いずれかの防災用受信機から、第１の呼出手段により呼び出されたときに、上記第１の記憶手段から当該建造物の建造物情報および当該防災用受信機の受信機情報を表示部に表示するとともに、当該受信機情報に追加して上記防災用受信機から受信した状態の情報を上記表示部に表示させ、第２の呼出手段により呼び出されたときに、上記第２の記憶手段から当該建造物の建造物情報および当該防災用受信機の受信機情報を表示部に表示するとともに、当該受信機情報に追加して上記第３の送信手段から送信された操作情報および状態情報を上記表示部に表示させる第３の表示手段とが設けられてなることを特徴とするものである。


【手続補正４】
【補正対象書類名】明細書
【補正対象項目名】００１８
【補正方法】変更
【補正の内容】
【００１８】
中央支援装置６は、本実施例では、主装置６１とサーバ６３で構成されている。主装置６１は、表示部の主表示部である主ＣＲＴ６２を有するとともに、図示を省略した、各種のスイッチを有する操作部、各種の表示灯を有する表示部、総合操作盤３とデータ等の情報を送受信するモデム、ダイアラ等が設けられている。サーバ６３は、表示部の副表示部である副ＣＲＴ６４を有するとともに、図示を省略した、各種のスイッチを有する操作部、各種の表示灯を有する表示部、各種の物件データを記憶している記憶装置等が設けられている。なお、主および副ＣＲＴ６２、６４の代わりに液晶ディスプレイ、プラズマディスプレイ等を用いるようにしてもよい。


【手続補正５】
【補正対象書類名】明細書
【補正対象項目名】００２４
【補正方法】変更
【補正の内容】
【００２４】
総合操作盤３は、図２に示すように、ビル１内に配設された図示しない火災感知器や発信機の状態を監視しており（Ｓ１０）、火災が発生すると（Ｓ１０のＹ（発生））、図４に詳細な動作フローを示す火災発生処理（Ｓ１００）を行う。また、総合操作盤３の図示しない操作部のシミュレーション開始スイッチがオン操作されると（Ｓ２０のＹ（有））、図５に詳細な動作フローを示すシミュレーション処理（Ｓ２００）を行う。また、中央支援装置６から制御命令を受信すると（Ｓ３０のＹ（有））、図６に詳細な動作フローを示す制御実行処理（Ｓ３００）を行う。


【手続補正６】
【補正対象書類名】明細書
【補正対象項目名】００２５
【補正方法】変更
【補正の内容】
【００２５】
中央支援装置６は、複数の防災用受信機のいずれかから呼び出しを受けたかを常時監視している（Ｓ４０）。たとえばビル１の総合受信盤３から呼び出しを受けると（Ｓ４０のＹ（有））、総合操作盤３が火災発生処理Ｓ１００の中で送信した火災情報の受信か（Ｓ５０）シミュレーション処理Ｓ２００の中でシミュレーション要求の受信か（Ｓ６０）を判別する。火災情報の受信であると（Ｓ５０のＹ（有））、図７に詳細な動作フローを示す火災時処理（Ｓ５００）を行い、シミュレーション要求の受信であると（Ｓ６０のＹ（有））、図８に詳細な動作フローを示すシミュレーション要求処理（Ｓ６００）を行う。また、中央支援装置６の主装置６１の図示しない操作部から制御入力があると（Ｓ７０のＹ（有））、図９に詳細な動作フローを示す制御処理（Ｓ７００）を行う。


【手続補正７】
【補正対象書類名】明細書
【補正対象項目名】００２７
【補正方法】変更
【補正の内容】
【００２７】
総合操作盤３は、接続された図示しない火災感知器から受信した情報に基づき火災発生と判断すると（Ｓ１０のＹ（発生））、図示しないダイアラ、モデムを起動して支援センタ５の中央支援装置６を呼び出す（Ｓ１０２）。この総合操作盤３と中央支援装置６との間の呼び出しおよび以後の通信は、インターネット形式、いわゆるパソコン通信形式、その他の形式のいずれでもよく、総合操作盤３と中央支援装置６との間で各種情報の通信が行うことができる方式であれば方式を問わない。


【手続補正８】
【補正対象書類名】明細書
【補正対象項目名】００２９
【補正方法】変更
【補正の内容】
【００２９】
中央支援装置６の主装置６１は、ビル１の総合操作盤３から呼び出しを受けると応答信号を返送し（Ｓ４０のＹ（有））、続いて物件情報と火災情報を受信すると（Ｓ５０のＹ（有））、受信したＩＤ番号すなわち物件情報から、サーバ６３の図示を省略したハードディスク等の記憶装置に記憶された物件データベース（ＤＢ）から対応物件の物件データ、たとえば物件名（ビル１の名称）、物件所在地、使用防災受信機の型名、本実施例の場合は総合操作盤３の型名、総合操作盤３に接続されている各種機器および警戒地区情報等を読み出すとともに、総合操作盤３の型名に基づき、記憶装置の各種防災用受信機の表示部画面や操作部画面等の機種情報を記憶している機器ＤＢから総合操作盤３の機種情報を読み出す（Ｓ５０２）。そして、主ＣＲＴ６２に、物件ＤＢから読み出した物件データのうち必要な情報、たとえば物件名、物件所在地、物件の規模、総合操作盤３に接続されている火災感知器等の監視用機器や防火戸、排煙装置等の被制御機器の接続状況等を表示するとともに、副ＣＲＴ６４に、機器ＤＢから読み出した総合操作盤３の表示部画面情報と操作部画面情報、並びに総合操作盤３から受信した火災情報とから、ビル１の総合操作盤３の表示部および操作部の盤面状態の表示画面を作成して表示する（Ｓ５０４）。


【手続補正９】
【補正対象書類名】明細書
【補正対象項目名】００３１
【補正方法】変更
【補正の内容】
【００３１】
次に、総合操作盤３は、中央支援装置６から制御命令を受信したか判別し（Ｓ１０８）、受信していなければ（Ｓ１０８のＮ（未受信））総合操作盤３の状態に変化があったか、すなわち先に送った火災情報に対し変化した情報があるか、たとえば新たな火災警戒地区で火災が発生したか、操作部の複数あるスイッチのいずれかのスイッチ状態が変化したかを判別する（Ｓ１１２）。判別の結果、総合操作盤３の状態に変化があると（Ｓ１１２のＹ（有））、その状態変化の情報を新たな火災情報として中央支援装置６に送信する（Ｓ１１４）。


【手続補正１０】
【補正対象書類名】明細書
【補正対象項目名】００３２
【補正方法】変更
【補正の内容】
【００３２】
中央支援装置６は、新たな火災情報を受信すると（Ｓ５０６のＹ（受信））、副ＣＲＴ６４に現在表示中の内容から変化があるか判別し（Ｓ５０８）、変化があると（Ｓ５０８のＹ（有））新たな火災情報に基づいて副ＣＲＴ６４の表示内容を更新する（Ｓ５１０）。


【手続補正１１】
【補正対象書類名】明細書
【補正対象項目名】００３３
【補正方法】変更
【補正の内容】
【００３３】
そして、中央支援装置６の主装置６１は、受信した火災情報と副ＣＲＴ６４の表示内容からサーバ６２の記憶装置のガイド用ＤＢを参照してガイドが必要か否か判別し（Ｓ５１２）、必要であれば（Ｓ５１２のＹ（必要））ガイド内容を主ＣＲＴ６２に表示する（Ｓ５１４）。支援員はこの主ＣＲＴ６２のガイド表示と副ＣＲＴ６４の表示内容をみて、防災センタ２の監視員に対し支援する必要があると判断すると、通話状態にある電話機を用いて必要なアドバイスを送る。なお、Ｓ５１４による表示内容を総合操作盤３に自動的または支援員のスイッチ操作により送信し、総合操作盤３のＣＲＴ３１にも表示させるようにしてもよい。


【手続補正１２】
【補正対象書類名】明細書
【補正対象項目名】００３４
【補正方法】変更
【補正の内容】
【００３４】
また、中央支援装置６の主装置６１は、受信した火災情報と副ＣＲＴ６４の表示内容からサーバ６２の記憶装置に設けられた制御用ＤＢのビル１に対する制御情報を参照して総合操作盤３に対する制御が必要か否か判別し（Ｓ５１６）、必要であれば（Ｓ５１６のＹ（必要））その制御内容を主ＣＲＴ６２に表示する（Ｓ５１６）。支援員はこの主ＣＲＴ６２の要制御内容の表示と副ＣＲＴ６４の表示内容をみて、防災センタ２の監視員に対し制御の支援をする必要があると判断して制御命令送信スイッチを操作すると（Ｓ５２０のＹ（実行））、制御命令と制御データを送信する（Ｓ５２２）。一方、支援員が主ＣＲＴ６２と副ＣＲＴ６４の表示内容から制御不要であると判断して制御不要スイッチを操作すると（Ｓ５２０のＮ（未実行）、Ｓ５２４のＹ（不要））、主ＣＲＴ６２に表示された要制御内容をクリアするととも制御データ等をクリアする（Ｓ５２６）。なお、Ｓ５１８による要制御内容に基づく制御命令と制御データを自動的に送信するようにしてもよく、また、自動的な送信と支援員の操作による送信とを切り替えられるようにしてもよく、物件ＤＢに物件毎に自動的送信か支援員の操作による送信かをあらかじめ記憶させておき、それに基づき行うようにしてもよく、この場合は送信が自動か手動かを主ＣＲＴに表示させるようにするとよい。


【手続補正１３】
【補正対象書類名】明細書
【補正対象項目名】００３５
【補正方法】変更
【補正の内容】
【００３５】
総合操作盤３は、中央支援装置６から制御命令を受信すると（Ｓ１０８のＹ（受信））、制御命令とともに受信した制御データに基づき必要な制御処理、たとえば地区音響装置の制御、防排煙機器の制御、消火設備の制御等を行う（Ｓ１１０）。そして、総合操作盤３は、この制御命令の処理により生じる状態変化を新たな火災情報として送信し（Ｓ１１２のＹ（有）、Ｓ１１４）、中央支援装置６は新たに受信した火災情報に基づき表示内容を更新表示する（Ｓ５０６〜Ｓ５１０）。


【手続補正１４】
【補正対象書類名】明細書
【補正対象項目名】００３６
【補正方法】変更
【補正の内容】
【００３６】
そして、総合操作盤３の図示を省略した操作部の火災復旧スイッチが操作されると（Ｓ１１６のＹ（終了））、図示しない火災地区表示のクリア、主音響装置や地区音響装置の鳴動解除その他の火災復旧動作が行われるとともに、復旧情報を中央支援装置６に送信し、その後中央支援装置６との接続を遮断し（Ｓ１１８）、通常の監視状態に戻る。


【手続補正１５】
【補正対象書類名】明細書
【補正対象項目名】００３７
【補正方法】変更
【補正の内容】
【００３７】
中央監視装置６は、復旧情報を受信すると（Ｓ５２８のＹ（受信））、総合操作盤３と送受信した情報を記憶装置の物件支援記録ＤＢのビル１に対応する部分に履歴情報として格納する（Ｓ５３０）とともに、主ＣＲＴ６２および副ＣＲＴ６４の表示画面およびその情報をクリアし（Ｓ５３２）、通常の監視状態に戻る。


【手続補正１６】
【補正対象書類名】明細書
【補正対象項目名】００３９
【補正方法】変更
【補正の内容】
【００３９】
総合操作盤３のシミュレーション開始スイッチがオン操作されると（Ｓ２０のＹ（有））、図示しないダイアラ、モデムを起動して中央支援装置６を呼び出す（Ｓ２０２）。総合操作盤３は、中央支援装置６が呼び出しに応答したら（Ｓ４０のＹ（有））、物件情報としてたとえばＩＤ番号を送信し（Ｓ２０４）、シミュレーション要求情報を送信する（Ｓ２０６）とともに、現在の総合操作盤３の状態の情報を開始時状態情報として図示しない記憶装置に記憶する。


【手続補正１７】
【補正対象書類名】明細書
【補正対象項目名】００４０
【補正方法】変更
【補正の内容】
【００４０】
中央支援装置６は、シミュレーション要求情報を受信すると（Ｓ６０のＹ（有））、物件情報に基づいてサーバ６３の物件ＤＢからビル１の情報を検索して読み出し、読み出した防災用受信機この場合は総合操作盤３の型式その他の情報に基づいてシミュレーションＤＢから必要なシミュレーションデータを読み出し（Ｓ６０２）、最初の実行データを作成して実行命令とともに総合操作盤３に送信する（Ｓ６０４）。そして、主ＣＲＴ６２に火災時と同様に必要な表示を行うとともに、機器ＤＢから総合操作盤３の表示部と操作部の画面情報を読み出し、副ＣＲＴ６４に盤面表示を行う（Ｓ６０６）。


【手続補正１８】
【補正対象書類名】明細書
【補正対象項目名】００４１
【補正方法】変更
【補正の内容】
【００４１】
総合操作盤３は、実行命令を受信すると（Ｓ２０８のＹ（受信））、実行命令とともに受信したシミュレーションデータに基づき、火災感知器の疑似作動、被制御機器に対する疑似制御処理等のシミュレーションを実施処理する（Ｓ２１０）。この実施処理により、総合操作盤３のＣＲＴ３１の表示内容の状態に変化が生じたり、または、監視員が操作部にあるスイッチを操作してスイッチ内容の状態に変化が生じると（Ｓ２１２）、変化内容の状態情報を送信する（Ｓ２１４）。


【手続補正１９】
【補正対象書類名】明細書
【補正対象項目名】００４２
【補正方法】変更
【補正の内容】
【００４２】
中央支援装置６は、この状態情報を受信すると（Ｓ６０８のＹ（受信））、状態情報に基づいて副ＣＲＴ６４の表示画面を総合操作盤３の状態と一致させるべく更新する（Ｓ６１０）。そして、受信した状態情報、たとえば監視員による操作結果が先に送信した実行データに対し正解であれば（Ｓ６１２のＹ（正解））、次の実行データを送信する（Ｓ６１４）。受信した状態情報が正解でなければ、正解のガイドデータを実行命令とともに総合操作盤３に送信し（Ｓ６１６）、正しい操作等が行われるようにする。


【手続補正２０】
【補正対象書類名】明細書
【補正対象項目名】００４３
【補正方法】変更
【補正の内容】
【００４３】
この実行命令を受信した総合操作盤３は、ガイドデータに基づいてＣＲＴ３１に正解を表示し、監視員に次の操作を促す（Ｓ２０８のＹ（受信）、Ｓ２１０）。これにより、間違った操作を行った監視員は正しい操作を行うことができる。


【手続補正２１】
【補正対象書類名】明細書
【補正対象項目名】００４５
【補正方法】変更
【補正の内容】
【００４５】
そして、総合操作盤３のシミュレーション終了スイッチが操作されると（Ｓ２１６のＹ（終了））、シミュレーション終了情報を送信し、記憶している開始時状態情報に基づき、総合操作盤３をシミュレーション開始直前の状態に戻す処理を行うとともに、中央支援装置６との接続を遮断してシミュレーションを終了する（Ｓ２１８）。


【手続補正２２】
【補正対象書類名】明細書
【補正対象項目名】００４６
【補正方法】変更
【補正の内容】
【００４６】
中央支援装置６は、シミュレーション終了情報を受信すると（Ｓ６１８のＹ（受信））、主ＣＲＴ６２と副ＣＲＴ６４の表示をクリアするとともに、物件支援記憶ＤＢにビル１の総合操作盤３のシミュレーション結果を履歴情報として格納する（Ｓ６２０）。


【手続補正２３】
【補正対象書類名】明細書
【補正対象項目名】００４８
【補正方法】変更
【補正の内容】
【００４８】
支援センタ５からビル１の総合操作盤３に対する制御が必要となった場合には、中央支援装置６の主装置６１の操作部から総合操作盤３の呼出番号を入力するとともに制御内容を入力する。呼出番号と制御内容が入力されると（Ｓ７０のＹ（有））、呼出番号と制御内容を読み込み（Ｓ７０２）、ダイアラとモデムを起動して総合操作盤３を呼び出す（Ｓ７０４）。総合操作盤３から呼び出しに対する応答があると（Ｓ７０６）、制御命令と制御内容を送信する（Ｓ７０８）。


【手続補正２４】
【補正対象書類名】明細書
【補正対象項目名】００４９
【補正方法】変更
【補正の内容】
【００４９】
総合操作盤３は、制御命令と制御内容を受信すると（Ｓ３０のＹ（有））、制御命令により制御内容を実行処理し（Ｓ３０２）、その処理した結果の情報を送信する（Ｓ３０４）。


【手続補正２５】
【補正対象書類名】明細書
【補正対象項目名】００５０
【補正方法】変更
【補正の内容】
【００５０】
中央支援装置６は、処理結果情報を受信すると（Ｓ７１０のＹ（受信））、処理結果を主ＣＲＴ６２に表示する（Ｓ７１２）。そして、全ての制御内容の送信が行われ（Ｓ７１４のＹ（送信））、主装置６１の操作部から制御終了の入力が行われると（Ｓ７１６のＹ（終了））、制御内容と処理結果情報をビル１の総合操作盤３の履歴情報として物件支援ＤＢに記憶するとともに、総合操作盤３との通信接続状態を遮断して制御処理を終了する。